(57)【要約】      （修正有）【課題】ボトル類に対して取り付け・取り外しが簡単で、且つ、確実に取り付けることが出来る表示材の構造を得る。【解決手段】抜き穴１５の内径よりも大きな外径を有するキャップ５１又は頭部４３が挿入される時に抜き穴の内径がキャップ又は頭部の外径よりも大きく拡がるように抜き穴から連続して複数の切れ目１７，１７…が放射状に設けられている取付部１４と、抜き穴内に向かって正面表示板部１２から延長して設けられているストッパー部１６とを一枚の可撓性シート材で形成する。そして、取付部を正面表示板部との繋ぎ目１３の部分で正面表示板部及びストッパー部に対して略直角に折り曲げ、取付部の抜き穴に頭部を挿入させ、正面表示板部をキャップの外周面に当接させると共に、ストッパー部をボトル本体部４１の外周面に当接させて取り付けるようにした表示材１１とする。【選択図】図６
0003102204.tif 000002
【実用新案登録請求の範囲】
【請求項１】
ボトル本体の頭部の上面に形成した注ぎ口がキャップで閉じられているボトルに取り付ける表示材に於いて、
適宜印刷の施された正面表示板部と、該正面表示板部の一端側から延長して設けられ、且つ、中央に円弧状の抜き穴を有していると共に、該抜き穴の内径よりも大きな外径を有する前記キャップ又は前記頭部が挿入される時に前記抜き穴の内径が前記キャップ又は前記頭部の外径よりも大きく拡がるように前記抜き穴から連続して複数の切れ目が放射状に設けられている取付部と、前記抜き穴内に向かって前記正面表示板部から延長して設けられているストッパー部とを一枚の可撓性シート材で形成して成り、
前記取付部を前記正面表示板部との繋ぎ目の部分で前記正面表示板部及びストッパー部に対して略直角に折り曲げ、
前記正面表示板部を上側にして前記取付部の前記抜き穴に前記頭部を挿入させ、該正面表示板部を前記キャップの外周面に当接させると共に、前記ストッパー部を前記ボトル本体部の外周面に当接させて取り付けるようにしたことを特徴とする表示材。
【請求項２】
上記ボトル本体と上記頭部との間に、前記ボルト本体及び前記頭部の外径よりも小さい外径を有してくびれた状態の首部が設けられている上記ボトルを使用し、前記ボトルを前記首部まで前記抜き穴内に挿入させ、前記抜き穴の内周縁を前記首部に対して係合させるようにしたことを特徴とする請求項１記載の表示材。
【請求項３】
外周に環状溝が設けられている上記キャップを装着した上記ボトルを使用し、前記ボトルを前記環状溝まで前記抜き穴内に挿入させ、前記抜き穴の内周縁を前記環状溝に対して係合させるようにしたことを特徴とする請求項１記載の表示材。
【請求項４】
ボトル本体の頭部の上面に形成した注ぎ口がキャップで閉じられているボトルに取り付ける表示材に於いて、
適宜印刷の施された正面表示板部と、該正面表示板部の一端側から延長して設けられ、且つ、中央に円弧状の抜き穴を有していると共に、該抜き穴の内径よりも大きな外径を有する前記キャップ又は前記頭部が挿入される時に前記抜き穴の内径が前記キャップ又は前記頭部の外径よりも大きく拡がるように前記抜き穴から連続して複数の切れ目が放射状に設けられている取付部と、前記抜き穴内に向かって前記正面表示板部から延長して設けられているストッパー部とを一枚の可撓性シート材で形成し、前記取付部を前記正面表示板部との繋ぎ目の部分で前記正面表示板部及びストッパー部に対して略直角に折り曲げて成り、
前記正面表示板部を下側にして前記取付部の前記抜き穴に前記頭部を挿入させ、該正面表示板部を前記キャップの外周面に当接させると共に、前記ストッパー部を前記ボトル本体部の外周面に当接させて取り付けるようにしたことを特徴とする表示材。
【請求項５】
上記ボトル本体と上記頭部との間に、前記ボルト本体及び前記頭部の外径よりも小さい外径を有してくびれた状態の首部が設けられている上記ボトルを使用し、前記ボトルを前記首部まで前記抜き穴内に挿入させ、前記抜き穴の内周縁を前記首部に対して係合させるようにしたことを特徴とする請求項４記載の表示材。
【請求項６】
外周に環状溝が設けられている上記キャップを装着した上記ボトルを使用し、前記ボトルを前記環状溝まで前記抜き穴内に挿入させ、前記抜き穴の内周縁を前記環状溝に対して係合させるようにしたことを特徴とする請求項４記載の表示材。
【考案の詳細な説明】
【技術分野】
【０００１】
本考案は、表示材に関するものであり、特に、例えば自動販売機の商品を広告宣伝するため、該自動販売機内部の陳列室に陳列される見本ボトルに取り付ける表示材に関するものである。
【背景技術】
【０００２】
従来、飲料等の商品を販売する自動販売機には、該自動販売機で販売される商品見本を展示し、更に該商品見本に商品内容や商品の宣伝効果を向上させるようなキャッチフレーズ等の宣伝文句や新製品である旨を表示する表示材を取り付けている。
【０００３】
このような表示材は両面テープや接着剤等によって商品見本の外面に取り付けていた。
【０００４】
又、缶類にあっては、表示材を樹脂材でスプリング性を有したコ字状に形成し、該コ字状の部分に、該コ字状の間隔を押し広げながら缶の胴の部分を圧入して取り付ける方法が知られている(例えば、特許文献１参照)。
【０００５】
更に、缶類にあっては、缶の上端フランジ部分を掴む係合部を設けた表示スタンドを用意し、該スタンドを缶の上部に取り付け、該スタンドを介して表示材を取り付けるようにした方法も知られている(例えば、特許文献２)。
【０００６】
しかしながら、従来の表示材は、缶類に使用するものが主であり、ペットボトルやガラスボトル等のボトル類については依然として両面テープや接着剤等によって商品見本の外面に取り付ける方法が採られている(例えば、特許文献３)。
【０００７】
【特許文献１】特開平５−２１７０６０号公報
【特許文献２】特開平９−２０４５６５号公報
【特許文献３】特開平１１−２０８６６７号公報
【考案の開示】
【考案が解決しようとする課題】
【０００８】
上述したように、従来の表示材は、缶類に使用するものが主であり、ペットボトルやガラスボトル等のボトル類については依然として両面テープや接着剤等によって商品見本の外面に取り付ける方法が採られていた。ところが、接着テープや接着剤で貼り付けるような方法は、手間がかかると同時に、期間の経過と共に剥がしにくくなる、或いは反対に剥がれ落ちてしまうような不具合があった。
【０００９】
そこで、ボトル類に対して取り付け・取り外しが簡単、且つ、確実に行うことが出来る表示材の構造を得るために解決すべき技術課題が生じてくるのであり、本考案はこの課題を解決することを目的とする。
【課題を解決するための手段】
【００１０】
本考案は上記目的を達成するために提案されたものであり、請求項１記載の考案は、ボトル本体の頭部の上面に形成した注ぎ口がキャップで閉じられているボトルに取り付けられる表示材に於いて、適宜印刷の施された正面表示板部と、該正面表示板部の一端側から延長して設けられ、且つ、中央に円弧状の抜き穴を有していると共に、該抜き穴の内径よりも大きな外径を有する前記キャップ又は前記頭部が挿入される時に前記抜き穴の内径が前記キャップ又は前記頭部の外径よりも大きく拡がるように前記抜き穴から連続して複数の切れ目が放射状に設けられている取付部と、前記抜き穴内に向かって前記正面表示板部から延長して設けられているストッパー部とを一枚の可撓性シート材で形成して成り、前記取付部を前記正面表示板部との繋ぎ目の部分で前記正面表示板部及びストッパー部に対して略直角に折り曲げ、前記正面表示板部を上側にして前記取付部の前記抜き穴に前記頭部を挿入させ、該正面表示板部を前記キャップの外周面に当接させると共に、前記ストッパー部を前記ボトル本体部の外周面に当接させて取り付けるようにした表示材を提供する。
【００１１】
この構成によれば、例えば商品内容や商品の宣伝効果を向上させるようなキャッチフレーズ等の宣伝文句や新製品である旨の印刷が施された正面表示板部を上側にして繋ぎ目を境に取付部を略直角に折り曲げ、キャップが取り付けられているボトルの頭部を抜き穴に挿入すると、該抜き穴よりもキャップ又はボトルの頭部が大きい場合は、キャップ又はボトルの頭部の押し付けによって、切れ目の部分で該抜き穴の周縁が撓んで拡がり、該ボトルの頭部をキャップ共に該抜き穴内に挿入することができる。又、ボトルの頭部が所定の位置まで挿入されると、正面表示板部がキャップの外周面に当接されると共にストッパー部がボトル本体部の外周面に当接され、この当接で表示材の全体が左右方向にずれるのを抑えることができる。
【００１２】
請求項２記載の考案は、上記ボトル本体と上記頭部との間に、前記ボルト本体及び前記頭部の外径よりも小さい外径を有してくびれた状態の首部が設けられている上記ボトルを使用し、前記ボトルを前記首部まで前記抜き穴内に挿入させ、前記抜き穴の内周縁を前記首部に対して係合させるようにした請求項１記載の表示材を提供する。
【００１３】
この構成によれば、ボトルの首部が抜き穴の内周縁と対応する位置まで挿入されると、上記抜き穴の内周縁が上記首部の外周に係合され、上記ボトルに対する抜け止めがなされて該ボトルに取り付けられる。
【００１４】
請求項３記載の考案は、外周に環状溝が設けられている上記キャップを装着した上記ボトルを使用し、前記ボトルを前記環状溝まで前記抜き穴内に挿入させ、前記抜き穴の内周縁を前記環状溝に対して係合させるようにした表示材を提供する。
【００１５】
この構成によれば、ボトルのキャップの環状溝が抜き穴の内周縁と対応する位置まで挿入されると、上記抜き穴の内周縁が上記環状溝内に係合され、上記ボトルに対する抜け止めがなされて該ボトルに取り付けられる。
【００１６】
請求項４記載の考案は、ボトル本体の頭部の上面に形成した注ぎ口がキャップで閉じられているボトルに取り付けられる表示材に於いて、適宜印刷の施された正面表示板部と、該正面表示板部の一端側から延長して設けられ、且つ、中央に円弧状の抜き穴を有していると共に、該抜き穴の内径よりも大きな外径を有する前記キャップ又は前記頭部が挿入される時に前記抜き穴の内径が前記キャップ又は前記頭部の外径よりも大きく拡がるように前記抜き穴から連続して複数の切れ目が放射状に設けられている取付部と、前記抜き穴内に向かって前記正面表示板部から延長して設けられているストッパー部とを一枚の可撓性シート材で形成し、前記取付部を前記正面表示板部との繋ぎ目の部分で前記正面表示板部及びストッパー部に対して略直角に折り曲げて成り、前記正面表示板部を下側にして前記取付部の前記抜き穴に前記頭部を挿入させ、該正面表示板部を前記キャップの外周面に当接させると共に、前記ストッパー部を前記ボトル本体部の外周面に当接させて取り付けるようにした表示材を提供する。
【００１７】
この構成によれば、例えば商品内容や商品の宣伝効果を向上させるようなキャッチフレーズ等の宣伝文句や新製品である旨の印刷が施された正面表示板部を下側にして繋ぎ目を境に取付部を略直角に折り曲げ、キャップが取り付けられているボトルの頭部を抜き穴に挿入するとき、抜き穴よりもキャップ又はボトルの頭部が大きい場合、キャップ又はボトルの頭部が抜き穴の周縁に押し付けられると、切れ目によって周縁が撓んで該抜き穴が拡がり、該ボトルの頭部をキャップ共に抜き穴内に挿入することができる。又、ボトルの頭部が所定の位置まで挿入されると、正面表示板部がキャップの外周面に当接されると共にストッパー部がボトル本体部の外周面に当接され、この当接で表示材の全体が左右方向にずれるのを抑えることができる。
【００１８】
請求項５記載の考案は、上記ボトル本体と上記頭部との間に、前記ボルト本体及び前記頭部の外径よりも小さい外径を有してくびれた状態の首部が設けられている上記ボトルを使用し、前記ボトルを前記首部まで前記抜き穴内に挿入させ、前記抜き穴の内周縁を前記首部に対して係合させるようにした請求項４記載の表示材を提供する。
【００１９】
この構成によれば、ボトルの首部が抜き穴の位置まで挿入されると、上記抜き穴の内周縁が上記首部の外周に係合され、上記ボトルに対する抜け止めがなされて該ボトルに取り付けられる。
【００２０】
請求項６記載の考案は、外周に環状溝が設けられている上記キャップを装着した上記ボトルを使用し、前記ボトルを前記環状溝まで前記抜き穴内に挿入させ、前記抜き穴の内周縁を前記環状溝に対して係合させるようにした請求項４記載の表示材を提供する。
【００２１】
この構成によれば、ボトルのキャップの環状溝が抜き穴の位置まで挿入されると、上記抜き穴の内周縁が上記環状溝内に係合され、上記ボトルに対する抜け止めがなされて該ボトルに取り付けられる。
【考案の効果】
【００２２】
本考案の請求項１記載の表示材は、正面表示板部を上側にして繋ぎ目を境に取付部を略直角に折り曲げ、キャップが取り付けられているボトルの頭部を抜き穴に挿入するだけで簡単に取り付けることができるので、取付作業の簡略化が図れる。しかも、従来の表示材で使用していたような接着剤を使用しないので、期間の経過に関係なく確実に保持しておくことができ、反対に交換等で取り外す場合にも簡単に取り外し、別のものと交換することができる。
【００２３】
又、取り付けた状態では、少なくとも正面表示板部がキャップの外周面に当接されると共に、ストッパー部がボトル本体部の外面に当接され、この当接で表示材の全体が左右方向にずれるのを抑えるので、取付後の姿勢も安定する。
【００２４】
更に、例えば商品内容や商品の宣伝効果を向上させるようなキャッチフレーズ等の宣伝文句や新製品である旨を適宜印刷して表示する正面表示板部が取付部よりも上側で、キャップの部分に設けられるので表示が目立ち易く、宣伝効果等も十分得られる。
【００２５】
本考案の請求項２記載の表示材は、ボトルの首部が抜き穴の位置まで挿入されると、該抜き穴の内周縁が首部の外周に係合され、該係合によりボトルに対する抜け止めがなされるので、請求項１記載の考案の効果に加えて、更に安定した取り付けが得られる。
【００２６】
本考案の請求項３記載の表示材は、ボトルのキャップの環状溝が抜き穴の位置まで挿入されると、該抜き穴の内周縁が環状溝内に係合され、該係合によりボトルに対する抜け止めがなされるので、請求項１記載の考案の効果に加えて、更に安定した取り付けが得られる。
【００２７】
本考案の請求項４記載の表示材は、正面表示板部を下側にして繋ぎ目を境に取付部を略直角に折り曲げ、キャップが取り付けられているボトルの頭部をキャップの環状溝が抜き穴の内周縁と対応する位置まで挿入するだけで簡単に取り付けることができるので、取付作業の簡略化が図れる。しかも、従来の表示材で使用していたような接着剤を使用しないので、期間の経過に関係なく確実に保持しておくことができ、反対に交換等で取り外す場合にも簡単に取り外し、別のものと交換することができる。
【００２８】
又、取り付けた状態では、正面表示板部がボトル本体の外周面に当接されると共にストッパー部がキャップの外周面に当接され、この当接で表示材の全体が左右方向にずれるのを抑えるので、取付後の姿勢も安定する。
【００２９】
更に、例えば商品内容や商品の宣伝効果を向上させるようなキャッチフレーズ等の宣伝文句や新製品である旨を適宜印刷して表示する正面表示板部を取付部よりも下側となるようにして設けているので、例えば自動販売機の陳列室の天井の高さが低く、キャップから天井までの高さが無い場合には、下側に大きく延ばすことにより正面表示板部を大きくすることが可能になる。従って、正面表示板部を大きくすることによって、表示も大きく目立ち易くなり、宣伝効果等を上げることも可能になる。
【００３０】
本考案の請求項５記載の表示材は、ボトルの首部が抜き穴の位置まで挿入されると、抜き穴の内周縁が首部の外周に係合され、該係合によりボトルに対する抜け止めがなされるので、請求項４記載の考案の効果に加えて、更に安定した取り付けが得られる。
【００３１】
本考案の請求項６記載の表示材は、ボトルのキャップの環状溝が抜き穴の位置まで挿入されると、抜き穴の内周縁が環状溝内に係合され、該係合によりボトルに対する抜け止めがなされるので、請求項４記載の考案の効果に加えて、更に安定した取り付けが得られる。
【考案を実施するための最良の形態】
【００３２】
ボトル類に対して取り付け・取り外しが簡単、且つ、確実に行うことが出来る表示材の構造を得るという目的を達成するために、例えば商品内容や商品の宣伝効果を向上させるようなキャッチフレーズ等の宣伝文句や新製品である旨の印刷が施された正面表示板部と、該正面表示板部の一端側から延長して設けられ、且つ、中央に円弧状の抜き穴を有していると共に、該抜き穴の内径よりも大きな外径を有する前記キャップ又は前記頭部が挿入される時に前記抜き穴の内径が前記キャップ又は前記頭部の外径よりも大きく拡がるように前記抜き穴から連続して複数の切れ目が放射状に設けられている取付部と、前記抜き穴内に向かって前記正面表示板部から延長して設けられているストッパー部とを一枚の可撓性シート材で形成して成り、前記取付部を前記正面表示板部との繋ぎ目の部分で前記正面表示板部及びストッパー部に対して略直角に折り曲げて成り、前記正面表示板部を上側にして前記取付部の前記抜き穴に前記頭部を挿入させ、該正面表示板部を前記キャップの外周面に当接させると共に、前記ストッパー部を前記ボトル本体部の外周面に当接させて取り付ける構造にした。
【実施例１】
【００３３】
図１及び図２は本考案の表示材の一実施例を示す。図１及び図２に於いて、表示材１１は、ボトルに取り付けて、店頭や自動販売機の商品見本展示室に置かれ、飲料水や酒類等(以下、これらを総称して「飲料」という。)の商品の広告宣伝等に使用されるものである。尚、一般に広告宣伝用のボトルはダミーボトルと呼ばれ、実際には内部に飲料水や酒類が入っていないことが多いが、ここでの表示材１１は、使用するボトルがダミーボトルであるか否かは問わない。
【００３４】
前記表示材１１は、例えば腰のある紙又はプラスチックフィルムで成る弾性を有した可撓性のシート材に適宜印刷を施し、その後、打ち抜き加工してシート状の小片として作られる。図１は、打ち抜き加工を終えてシート状の小片として作られている表示材１１を示す。
【００３５】
更に詳述すると、表示材１１は、略長方形形状をした正面表示板部１２と、該正面表示板部１２の一端側に繋ぎ目１３を介して連続して設けられた取付部１４と、該取付部１４に設けられた円弧状の抜き穴１５と、正面表示板部１２から抜き穴１５内に向かって延ばされた状態にして設けられたストッパー部１６とを備える。
【００３６】
前記正面表示板部１２には、例えば商品内容や商品の宣伝効果を向上させるようなキャッチフレーズ等の宣伝文句や新製品である旨の印刷が適宜施される。ここに印刷される文字及び図形は、正面表示板部１２の上下の向きに応じて適正に表示できるように、通常、取り付ける上下の向きに応じて２種類用意される。又、該繋ぎ目１３には、該繋ぎ目１３の位置から正しく簡単に折り曲げができるように、ミシン目或いは折り目の加工が施してある。
【００３７】
又、取付部１４には、抜き穴１５に後述するボトルの一部が挿入されて、表示材１１が該ボトルに取り付けられるときに、内周縁が一時的に弾性変形されて拡がり、ボトルの挿入をし易くするために、抜き穴１５から連続して複数の切れ目１７，１７…が放射状に設けてある。
【００３８】
そして、このように構成された表示材１１は、取り付けられるボトルのタイプ、例えばアルミ製ボトル或いはペットボトルによって、抜き穴１５の内径及び切れ目１７，１７…の大きさが異なるものである。従って、表示材１１は、使用するボトルに対応させて幾つか用意される。即ち、一般にアルミ製ボトルの場合は、注ぎ口を有する頭部の大きさ及び該注ぎ口を塞ぐキャップの外径が大きい。これに対して、ペットボトルの場合は、注ぎ口を有する頭部の大きさ及び該注ぎ口を塞ぐキャップの外径が小さい。この理由から、アルミ製ボトルに使用する場合には、キャップの大きさに合わせて抜き穴１５の内径を大きく、又、場合によっては切れ目１７，１７…も大きく形成した表示材１１が用意される。一方、ペットボトルに使用する場合には、キャップの大きさに合わせて抜き穴１５の内径を小さく、又、場合によっては切れ目１７，１７…も小さく形成した表示材１１が用意される。
【００３９】
図３乃至図１４は、表示材１１の使用形態例を示す。以下、その使用形態例を説明する。
【００４０】
(使用形態１)
図３乃至図９は、アルミ製ボトル(以下、「アルミボトル」という)に表示材１１を装着して使用する場合を示す。図３乃至図９に示すアルミボトル３０は、ボトル本体部４１と首部４２と頭部４３を一体に有し、飲料が内部に入れられる容器として形成されている。そして、頭部４３の上面に注ぎ口(不図示)が設けられており、通常、該注ぎ口は頭部４３に被着されたキャップ５１で閉じられている。
【００４１】
前記頭部４３に於ける外周面にはキャップ５１を被着するための雄ねじ(不図示)が形成されている。又、頭部４３とボトル本体部４１との間に設けられている首部４２の外径は、頭部４３及びボトル本体部４１の外径よりも小さく、若干細くくびれた形状になっている。
【００４２】
一方、前記キャップ５１は、内周にボトル本体部４１に於ける頭部４３の雄ねじと螺合する雌ねじ(不図示)が設けられている。通常、該キャップ５１は、雌ねじを雄ねじに螺合させてボトル本体部４１の頭部４３に被着され、頭部４３の注ぎ口を閉じている。又、キャップ５１が最後まで被着された状態では、キャップ５１の下端とボトル本体部４１との間に隙間が出来、該隙間によりキャップ５１とボトル本体部４１との間に首部４２による環状凹溝４４が作られる。
【００４３】
そして、このように形成されているアルミボトル３０に装着する前記表示材１１は、抜き穴１５の内径が首部４２の外径より僅かに小さく、又、抜き穴１５がキャップ５１及びボトル３０の頭部４３よりも大きく拡がることができる大きさの切り目１７，１７…が設けられているものが用意される。
【００４４】
次に、表示材１１をアルミボトル３０に取り付ける場合の動作を説明する。先ず、取り付けに先立って、シート状の表示材１１を取り付け可能な状態に準備する。この準備作業では、繋ぎ目１３の部分に沿って取付部１４を正面表示板部１２に対して直角に折り曲げ、正面表示板部１２とストッパー部１６は平面のままにしておく。図２は、正面表示板部１２及びストッパー部１６が平面のままで、取付部１４だけが直角に折り曲げられた状態を示す。
【００４５】
図３乃至図７は、正面表示板部１２が、取付部１４の上側に位置する状態、即ち、キャップ５１の前面に正面表示板部１２が配置される状態で使用している形態を示す。この使用形態１の場合は、正面表示板部１２が、取付部１４の上側に位置する姿勢にして表示板１１をアルミボトル３０に臨ませ、取付部１４の抜き穴１５にアルミボトル３０の頭部４２、即ちキャップ５１を押し付ける。この押し付けにより、切れ目１７が設けられている抜き穴１５の周縁が弾性変形して撓み、該抜き穴１５が拡がってアルミボトル３０の頭部４３がキャップ５１と共に抜き穴１５内に挿入される。
【００４６】
又、抜き穴１５の内周縁が環状凹溝４４を形成している首部４２と対応する位置までボトル３０が挿入されると、抜き穴１５の周縁が自己復帰して凹溝４４内に入り込み、首部４２と係合して抜け止めされる。更に、抜き穴１５の周縁が首部４２と係合された位置では、ストッパー部１６がボトル本体部４１の傾斜肩部４５に押し付けられた状態で当接すると共に、正面表示板部１２がキャップ５１の外周面に押し付けられた状態で当接する。従って、この当接による摩擦力で表示材１１の全体がアルミボトル３０に対して左右方向にずれるのが抑えられ、これにより取り付けが完了する。即ち、図３乃至図７に示す状態が得られる。
【００４７】
従って、本考案の表示材１１を使用した形態１の場合では、キャップ５１が取り付けられているアルミボトル３０の頭部４３を抜き穴１５に挿入するだけで表示材１１を簡単に取り付けることができるので、取付作業の簡略化が図れる。しかも、従来の表示材で使用していたような接着剤を使用しないので、期間の経過に関係なく確実に保持しておくことができる。反対に、交換等で取り外す場合にも簡単に取り外して別のものと交換することができる。
【００４８】
又、取り付けた状態では、少なくとも正面表示板部１２がキャップ５１の外周面に押し付けられた状態で当接されると共にストッパー部１６がボトル本体部４１の外面に押し付けられた状態で当接され、この当接により表示材の全体が左右方向にずれるのを抑えるので、取付後の姿勢も安定する。
【００４９】
更に、例えば商品内容や商品の宣伝効果を向上させるようなキャッチフレーズ等の宣伝文句や新製品である旨を適宜印刷して表示する正面表示板部１２が取付部４よりも上側で、キャップ５１の部分に設けられるので、表示が目立ち、宣伝効果等も十分得られる。
【００５０】
尚、使用形態１の場合では、抜き穴１５の内周縁を首部４２の外周(環状凹溝４４)に係合させるようにした構造を開示したが、例えばキャップ５１の外周に環状溝を設けているキャップ５１を使用し、該キャップ５１の環状溝に抜き穴１５の内周縁を係合させるようにしても良い。
【００５１】
(使用形態２)
図８及び図９は、同じくアルミボトル３０に表示材１１を装着して使用する形態を示す。この使用形態２の場合は、正面表示板部１２が取付部１４の下側に位置する状態、即ち、ボトル本体部４１の前面に正面表示板部１２が配置される状態で使用している形態を示す。この使用形態２の場合は、正面表示板部１２が、取付部１４の下側に位置する姿勢にして表示板１１をアルミボトル３０に臨ませ、取付部１４の抜き穴１５にアルミボトル３０の頭部４２、即ちキャップ５１を押し付ける。この押し付けにより、切れ目１７が設けられている抜き穴１５の周縁が弾性変形して撓み、該抜き穴１５が拡がってアルミボトル３０の頭部４３がキャップ５１と共に抜き穴１５内に挿入される。
【００５２】
又、抜き穴１５の内周縁が環状凹溝４４を形成している首部４２と対応する位置までボトル３０が挿入されると、抜き穴１５の周縁が自己復帰して凹溝４４内に入り込み、首部４２と係合して抜け止めされる。更に、抜き穴１５の周縁が首部４２と係合された位置では、ストッパー部１６がキャップ５１の外周面に押し付けられた状態で当接すると共に、正面表示板部１２がボトル本体部４１の傾斜肩部４５に押し付けられた状態で当接する。従って、この当接による摩擦力で表示材１１の全体がアルミボトル３０に対して左右方向にずれるのが抑えられ、これにより取り付けが完了する。即ち、図８及び図９に示す状態が得られる。
【００５３】
従って、本考案の表示材１１を使用した形態２の場合では、キャップ５１が取り付けられているペットボトル３０の頭部４３を抜き穴１５に挿入するだけで表示材１１を簡単に取り付けることができるので、取付作業の簡略化が図れる。しかも、従来の表示材で使用していたような接着剤を使用しないので、期間の経過に関係なく確実に保持しておくことができ、反対に交換等で取り外す場合にも簡単に取り外し、別のものと交換することができる。
【００５４】
又、取り付けた状態では、少なくとも正面表示板部１２がボトル本体部４１の外周面に押し付けられた状態で当接されると共にストッパー部１６がキャップ５１の外面に押し付けられた状態で当接され、この当接により表示材の全体が左右方向にずれるのを抑えるので、取付後の姿勢も安定する。
【００５５】
更に、例えば商品内容や商品の宣伝効果を向上させるようなキャッチフレーズ等の宣伝文句や新製品である旨を適宜印刷して表示する正面表示板部１２を取付部１４よりも下側となるようにして設けているので、例えば自動販売機の陳列室の天井の高さが低く、キャップ５１から天井までの高さが無い場合には、下側に大きく延ばすことにより正面表示板部１２を大きくすることが可能になる。従って、正面表示板部１２を大きくすることによって表示も大きく目立ち易くして、宣伝効果等を上げることも可能になる。
【００５６】
尚、使用形態２の場合でも、抜き穴１５の内周縁を首部４２の外周(環状凹溝４４)に係合させるようにした構造を開示したが、例えばキャップ５１の外周に環状溝を設けているキャップ５１を使用し、該キャップ５１の環状溝に抜き穴１５の内周縁を係合させるようにしても良い。
【００５７】
(使用形態３)
図１０乃至図１３は、ペットボトルに表示材１１を装着して使用する場合を示す。図１０乃至１３に示すペットボトル１３０は、ボトル本体部１４１と首部１４２と頭部１４３を一体に有し、飲料が内部に入れられる容器として形成されている。そして、頭部１４３の上面に注ぎ口(不図示)が設けられ、通常、該注ぎ口は頭部１４３に被着されたキャップ１５１で閉じられている。
【００５８】
前記頭部１４３に於ける外周面には、キャップ５１を被着するための係止部(不図示)が形成されている。又、頭部１４３とボトル本体部１４１との間に設けられている首部１４２の外径は、頭部１４３及びボトル本体部１４１の外径よりも小さく、若干細くくびれた形状になっている。更に、頭部１４３には、首部１４２と繋がる部分が外側に大きく環状に膨出されてなる環状鍔部１４３ａが設けられている。
【００５９】
一方、前記キャップ５１は、内周にボトル本体１４１に於ける頭部１４３の係止部に圧入係合する被係合部(不図示)を有している。通常、該キャップ５１は、被係合部を係合部に圧入係合させてボトル本体１４１の頭部１４３に被着され、頭部１４３の注ぎ口を閉じている。
【００６０】
そして、このように形成されているペットボトル１３０に装着する前記表示材１１は、抜き穴１５の内径が首部１４２の外径より僅かに小さく、又、抜き穴１５がキャップ１５１及びボトル１３０の頭部１４３よりも大きく拡げることができる大きさの切り目１７，１７…が形成されているものが用意される。
【００６１】
次に、表示材１１をペットボトル１３０に取り付ける場合の動作を説明する。先ず、アルミボトル３０に取り付けるときと同様に、取り付けに先立って、シート状の表示材１１を取り付け可能な状態に準備する。この準備作業では、繋ぎ目１３の部分に沿って取付部１４を正面表示板部１２に対して直角に折り曲げ、正面表示板部１２とストッパー部１６は平面のままになった、図２に示す状態にする。
【００６２】
図１０乃至図１２は、正面表示部材１２が、取付部１４の下側に位置する状態、即ち、ボトル本体部１４１の前面に正面表示板部１２が配置される状態で使用している形態を示す。この使用形態３の場合は、正面表示板部１２が、取付部１４の下側に位置する姿勢にして表示板１１をペットボトル１３０に臨ませ、取付部１４の抜き穴１５にペットボトル１３０の頭部１４２、即ちキャップ１５１を押し付ける。この押し付けにより、切れ目１７が設けられている抜き穴１５の周縁が弾性変形して撓み、該抜き穴１５が拡がってペットボトル１３０の頭部１４３がキャップ１５１と共に抜き穴１５内に挿入される。
【００６３】
又、抜き穴１５の内周縁が首部１４２と対応する位置まで挿入されると、抜き穴１５の周縁が自己復帰して狭まり、環状鍔部１４３と係合して抜け止めされる。更に、抜き穴１５の周縁が首部１４２と係合された位置では、ストッパー部１６がキャップ１５１の外周面に押し付けられた状態で当接されると共に、正面表示板部１２がボトル本体部４１の傾斜肩部１４５に押し付けられた状態で当接される。従って、この当接による摩擦力で表示材１１の全体がペットボトル１３０に対して左右方向にずれるのが抑えられ、これにより取り付けが完了する。即ち、図１０乃至図１２に示す状態が得られる。
【００６４】
従って、本考案の表示材１１を使用した形態３の場合では、キャップ１５１が取り付けられているペットボトル１３０の頭部１４３を抜き穴１５に挿入するだけで表示材１１を簡単に取り付けることができるので、取付作業の簡略化が図れる。しかも、従来の表示材で使用していたような接着剤を使用しないので、期間の経過に関係なく確実に保持しておくことができる。反対に、交換等で取り外す場合にも簡単に取り外し、別のものと交換することができる。
【００６５】
又、取り付けた状態では、少なくとも正面表示板部１２がボトル本体部１４１の外周面に押し付けられた状態で当接されると共にストッパー部１６がキャップ１５１の外面に押し付けられた状態で当接され、この当接により表示材１１の全体が左右方向にずれるのを抑えるので、取付後の姿勢も安定する。
【００６６】
更に、例えば商品内容や商品の宣伝効果を向上させるようなキャッチフレーズ等の宣伝文句や新製品である旨を適宜印刷して表示する正面表示板部１２を取付部１４よりも下側となるようにして設けているので、例えば自動販売機の陳列室の天井の高さが低く、キャップ１５１から天井までの高さが無い場合には、下側に大きく延ばすことにより正面表示板部１２を大きくすることが可能になる。従って、正面表示板部１２を大きくすることによって表示も大きく目立ちやすくして、宣伝効果等を上げることも可能になる。
【００６７】
(使用例４)
図１３は、同じくペットボトル１３０に表示材１１を装着して使用する形態を示す。この使用形態４の場合は、正面表示板部１２が取付部１４の上側に位置する状態、即ち、キャップ１５１の前面に正面表示板部１２が配置される状態で使用している形態を示す。この使用形態４の場合は、正面表示板部１２が、取付部１４の上側に位置するようにして表示板１１をペットボトル１３０に臨ませ、取付部１４の抜き穴１５にペットボトル１３０の頭部１４３、即ちキャップ１５１を押し付ける。この押し付けにより、切れ目１７が設けられている抜き穴１５の周縁が弾性変形して撓み、該抜き穴１５が拡がってペットボトル１３０の頭部１４３がキャップ１５１と共に抜き穴１５内に挿入される。
【００６８】
又、抜き穴１５の内周縁が首部１４２と対応する位置まで挿入されると、抜き穴１５の周縁が自己復帰して抜き穴１５の内径が狭まり、首部１４２と係合して抜け止めされる。更に、抜き穴１５の周縁が首部１４２と係合された位置では、正面表示板部１２がキャップ１５１の外周面に押し付けられた状態で当接すると共にストッパー部１６がボトル本体部１４１の傾斜肩部１４５に押し付けられた状態で当接する。従って、この当接による摩擦力で表示材１１の全体がペットボトル１３０に対して左右方向にずれるのが抑えられ、これにより取り付けが完了する。即ち、図１３に示す状態が得られる。
【００６９】
従って、本考案の表示材１１を使用した使用形態４の場合でも、キャップ１５１が取り付けられているペットボトル１３０の頭部１４３を抜き穴１５に挿入するだけで表示材１１を簡単に取り付けることができるので、取付作業の簡略化が図れる。しかも、従来の表示材で使用していたような接着剤を使用しないので、期間の経過に関係なく確実に保持しておくことができ、反対に交換等で取り外す場合にも簡単に取り外し、別のものと交換することができる。
【００７０】
又、取り付けた状態では、正面表示板部１２がキャップ１５１の外周面に当接されると共にストッパー部１６がボトル本体部１４１の外面に当接され、この当接により表示材１１の全体が左右方向にずれるのを抑えるので、取付後の姿勢も安定する。
【００７１】
尚、使用形態４の場合でも、抜き穴１５の内周縁を首部１４２の外周に係合させるようにした構造を開示したが、例えばキャップ１５１の外周に環状溝を設けておき、該キャップ１５１の環状溝に係合させるようにしても良いものである。
【００７２】
又、本考案は、本考案の精神を逸脱しない限り種々の改変を為すことができ、そして、本考案が該改変されたものに及ぶことは当然である。
【図面の簡単な説明】
【００７３】
【図１】本考案に係る表示材の平面図。
【図２】本考案に係る表示材の斜視図。
【図３】本考案の使用形態１として示す表示材付きボトルの正面図。
【図４】本考案の使用形態１として示す表示材付きボトルの側面図。
【図５】本考案の使用形態１として示す表示材付きボトルの上面図。
【図６】本考案の使用形態１として示す表示材付きボトルを背面側より見た斜視図。
【図７】本考案の使用形態１として示す表示材付きボトルを正面側より見た斜視図。
【図８】本考案の使用形態２として示す表示材付きボトルの正面図。
【図９】本考案の使用形態２として示す表示材付きボトルの側面図。
【図１０】本考案の使用形態３として示す表示材付きボトルを背面側より見た斜視図。
【図１１】本考案の使用形態３として示す表示材付きボトルの側面図。
【図１２】本考案の使用形態３として示す表示材付きボトルの上面図。
【図１３】本考案の使用形態４として示す表示材付きボトルの側面図。
【符号の説明】
【００７４】
１１        表示材
１２        正面表示板部
１３        繋ぎ目
１４        取付部
１５        抜き穴
１６        ストッパー部
１７        切れ目
３０        アルミボトル
４１        ボトル本体部
４２        首部
４３        頭部
４４        環状凹溝
４５        傾斜肩部
５１        キャップ
１３０      ペットボトル
１４１      胴部本体
１４２      首部
１４３      頭部
１４３ａ    環状鍔部  
１４４      環状凹溝
１４５      傾斜肩部
１５１      キャップ
【図１】
0003102204.tif 000003
【図２】
0003102204.tif 000004
【図３】
0003102204.tif 000005
【図４】
0003102204.tif 000006
【図５】
0003102204.tif 000007
【図６】
0003102204.tif 000008
【図７】
0003102204.tif 000009
【図８】
0003102204.tif 000010
【図９】
0003102204.tif 000011
【図１０】
0003102204.tif 000012
【図１１】
0003102204.tif 000013
【図１２】
0003102204.tif 000014
【図１３】
0003102204.tif 000015